(57)【要約】【課題】  練込みコンクリートの撹拌を行う撹拌ロータには、過大の負荷が働き易く、この撹拌ロータを取付ける撹拌機の構成、及び撹拌ロータを駆動する連動構成等の強度、剛性を高く構成し、又、コンクリートに対する撹拌押圧力をかけ易くして耐久性を高く維持し、操作性をを良くすることが必要である。【解決手段】  機体１に搭載の原動機２によって駆動すると共に、耕耘ロータを装着可能とする耕耘軸３と、この機体１の後方上部に張出の操作ハンドル４を有して耕耘作業可能の作業機本体に、前記耕耘軸３の後方下部位置に向けて、この耕耘軸３から後下端部のロータ軸５を伝動する連動機構６を内装する連動ケース７を取付けて、この連動ケース７の左右両側部に張出すロータ軸５に撹拌ロータ８を取付ける。【選択図】  図１
2012071463.tif 000002
【特許請求の範囲】
【請求項１】
機体（１）に搭載の原動機（２）によって駆動すると共に、耕耘ロータを装着可能とする耕耘軸（３）と、この機体（１）の後方上部に張出の操作ハンドル（４）を有して耕耘作業可能の作業機本体に、前記耕耘軸（３）の後方下部位置に向けて、この耕耘軸（３）から後下端部のロータ軸（５）を伝動する連動機構（６）を内装する連動ケース（７）を取付けて、この連動ケース（７）の左右両側部に張出すロータ軸（５）に撹拌ロータ（８）を取付けることを特徴とする撹拌機。
【請求項２】
前記連動ケース（７）は、機体（１）側の耕耘ケース（９）の耕耘軸（３）の一側端部に連結する前後方向の上部連動ケース（７１）と、この上部連動ケース（７１）の後端部から下方へ延びる下部連動ケース（７２）とからなり、前記耕耘軸（３）の他側端部と、この下部連動ケース（７２）との間を軸受アーム（１０）で軸受連結し、これら下部連動ケース（７２）と耕耘ケース（９）を機体（１）のセンタライン（Ｌ）上に略沿わせて配置したことを特徴とする請求項１に記載の撹拌機。
【請求項３】
前記連動ケース（７）の連動機構にクラッチ（１１）を設けたことを特徴とする請求項１、又は２に記載の撹拌機。
【発明の詳細な説明】
【技術分野】
【０００１】
この発明は、小形の耕耘作業機を利用して撹拌ロータを装着することにより建設用の練込時のコンクリート等を撹拌することができるようにした撹拌機の構成に関する。
【背景技術】
【０００２】
単軸走行形態の車輪を有するハンドル移動農作業機の前部に、設けた駆動縦軸の下端部に、耕耘爪を有した回転板を複数段に配置して、水耕植物の倍地撹拌作業を行う技術（例えば、特許文献１参照）が知られている。
【先行技術文献】
【特許文献】
【０００３】
【特許文献１】特開２０００ー２３５０５号公報（第１頁、図１）。
【発明の概要】
【発明が解決しようとする課題】
【０００４】
コンクリート練込作業のように、コンクリートの重量が大きく、硬化し易く、又、撹拌抵抗力の大きい作業にあっては、このコンクリートの撹拌を行う撹拌ロータには、過大の負荷が働き易く、この撹拌ロータを取付ける撹拌機の構成、及び撹拌ロータを駆動する連動構成等の強度、剛性を高く構成し、又、コンクリートに対する撹拌押圧力をかけ易くして耐久性を高く維持し、操作性をを良くすることが必要である。
【課題を解決するための手段】
【０００５】
請求項１に記載の発明は、機体１に搭載の原動機２によって駆動すると共に、耕耘ロータを装着可能とする耕耘軸３と、この機体１の後方上部に張出の操作ハンドル４を有して耕耘作業可能の作業機本体に、前記耕耘軸３の後方下部位置に向けて、この耕耘軸３から後下端部のロータ軸５を伝動する連動機構６を内装する連動ケース７を取付けて、この連動ケース７の左右両側部に張出すロータ軸５に撹拌ロータ８を取付けることを特徴とする撹拌機の構成とする。
【０００６】
前記原動機２の駆動によって耕耘軸９が回転されると、連動ケース７内の連動機構６を経て、この連動ケース７下端部のロータ軸５が回転されて、このロータ軸５に取付けられた撹拌ロータ８が回転駆動される。作業者が操作ハンドル４を操作しながら、撹拌ロータ８を練込時のコンクリート上層面を回転移動させることによって、この撹拌ロータ８の回転によりコンクリートの練込上面が掻き均しされる。
【０００７】
このような撹拌作業においては、撹拌ロータ８のロータ軸５が、連動ケース７を介して耕耘軸３により後方下方の位置に支持されているため、ハンドル４を操作する作業操作位置を高くして、楽な姿勢で撹拌作業を行うことができ、撹拌ロータ８の駆動反力を受ける撹拌機の前後バランスを保持し易くして、操作性を高める。
【０００８】
又、コンクリートの撹拌作業に代って耕耘作業を行うときは、前記耕耘軸３から連動ケース７を取外して、この耕耘軸３に耕耘爪等を配置した耕耘ロータを装着して行う。
請求項２に記載の発明は、前記連動ケース７は、機体１側の耕耘ケース９の耕耘軸３の一側端部に連結する前後方向の上部連動ケース７１と、この上部連動ケース７１の後端部から下方へ延びる下部連動ケース７２とからなり、前記耕耘軸３の他側端部と、この下部連動ケース７２との間を軸受アーム１０で軸受連結し、これら下部連動ケース７２と耕耘ケース９を機体１のセンタラインＬ上に略沿わせて配置しする。
【０００９】
前記のように撹拌作業を行う場合は、機体１側耕耘ケース９の耕耘軸３の回転が、上部連動ケース７１と下部連動ケース７２の連動機構６を経て、この下部連動ケース７２下端部のロータ軸５の撹拌ロータ８が駆動回転される。この撹拌ロータ８の支持回転するロータ軸５は、上部連動ケース７１によって耕耘軸３の後方へ適宜間隔偏倚し、かつ、下部連動ケース７２によって、この耕耘軸３よりも下方へ適宜間隔偏倚して支持されるため、操作ハンドル４を把持して撹拌作業する撹拌機の撹拌ロータ８を中心とする前後バランス形態が設定し易く、しかも、この撹拌ロータ８を左右両端部に装着した下部連動ケース７２が耕耘ケース９と共に、機体の平面視で略センタラインＬ上に沿って配置され、かつこの耕耘ケース９に対しては左右両側部に位置する上部連動ケース７１と軸受アーム１０を介して支持連結するもので、左右の撹拌ロータ８を、左右バランス良く支持して撹拌性、操作性を良好に維持する。
【００１０】
請求項３に記載の発明は、前記連動ケース７の連動機構６にクラッチ１１を設ける。
撹拌ロータ８を装着して撹拌作業を行うときは、耕耘軸３の回転によって、連動ケース７の連動機構６を経て下端部のロータ軸５、及び撹拌ロータ軸５の駆動回転される。又、このロータ軸５の駆動回転を停止したり、耕耘軸３との連動を断つときは、クラッチ１１を切り操作して行うことができる。
【発明の効果】
【００１１】
請求項１に記載の発明は、耕耘軸３を有した機体１を利用して、撹拌ロータ８を簡単に取付けて、運転操作バランスのよい撹拌機を安価に構成することができる。この撹拌ロータ８は、耕耘軸３に対して後方下部の位置に向けて形成される連動ケース７を介して装着されるものであるから、撹拌作業及び作業操作バランスの良い後側位置や、高さに設定することが容易であり、撹拌作業性、及び操作性を良好にすることができる。
【００１２】
請求項２に記載の発明は、前記耕耘ケース９の左右両側部の耕耘軸３部に、上部連動ケース７１と軸受アーム１０を介して下部連動ケース７２を着脱自在に取付連結する形態であるから、構成、及び着脱操作が簡単であり、取付構成を堅固にすることができ、これら耕耘ケース９、及び下部連動ケース７２を機体１のセンタラインＬ上に略沿わせて、左右重量バランスのよい撹拌機を構成することができる。しかも、この下部連動ケース７２の耕耘軸３に対する前後方向位置は、前記上部連動ケース７１の長さによって決められるため、撹拌ロータ軸５の配置位置の設定が容易である。
【００１３】
請求項３に記載の発明は、前記耕耘軸３からロータ軸５にわたる連動機構６中にクラッチ１１を設けて、ロータ軸５の連動を切ることができるため、耕耘軸３の駆動回転中におけるクラッチ１１を切ることによって、撹拌ロータ８を回動自在の状態にすることができたり、原動機２を停止していて撹拌ロータ８を空転させる場合等においても、このクラッチ１１を切りにして、撹拌ロータ８の空転を簡単、容易に行わせることができ、メンテナンスや、撹拌ロータ８に付着しているコンクリートのたたき落し、除去掃除等を容易に行わせることができる。
【図面の簡単な説明】
【００１４】
【図１】撹拌機の側面図。
【図２】その連動機構部の略背面図。
【図３】機体本体及び伝動機構の平面図。
【図４】一部別例を示す撹拌ロータ部の正面図。
【発明を実施するための形態】
【００１５】
図面に基づいて、耕耘機の機体１は、左右一対のプレート材を平行状に構成したフレーム１２を主体として、このフレーム１２上前部に原動機２として電動モータ、及びバッテリ１４を搭載し、この前端下部には、原動機２によって駆動される原動軸１５を垂下させて内装のパイプ形態の伝動ケース９を設け、この伝動ケース９の下端部には左右両外側へ水平方向へ突出する耕耘軸３を軸装して、この耕耘軸３の外側部には耕耘爪や除草爪等を配置した耕耘ロータ（乃至耕耘爪軸等）を取付けることができる。
【００１６】
このフレーム１２の後部上方にはハンドルフレーム１６を取付けて、後方に操作ハンドル４を突出させている。前記原動機２はエンジンを用いることも可能である。
前記フレーム１２下側に、下部連動ケース７２を略垂直状に位置させて、左右両側部をプレート材からなる連結ブラケット１３で挾持する形態として、これら下部連動ケース７２と前記耕耘ケース９の中心線を、機体１の中央部を前後方向に沿うセンタラインＬ上に略沿うように配置設定している。
【００１７】
この連結ブラケット１３の右側には、上部連動ケース７１を、カウンタ軸１７と、このカウンタ軸１７を軸受する軸受ケース１８等を介在して一体的に取付け、又、連結ブラケット１３の左側には、板金製でクランク状に形成した軸受アーム１０を一体的に取付けている。
【００１８】
これら上部連動ケース７１及び軸アーム１０は、下部連動ケース７２の上端部から前側へ向けて略水平状に突出する形態で、これらの前端部には、前記耕耘軸３の外端部に嵌合できるソケットメタル１９を回転自在に設け、このソケットメタル１９の耕耘軸３に対する嵌合部にメタル１９の耕耘軸３に対する嵌合部において、ピン穴にセットピン２０を押込んで連動ケース７を着脱自在に取付ける構成である。これら上部連動ケース７１内には、ソケットメタル１９端に固定のスプロケット２１と、カウンタ軸１７端部に回転自在に嵌合しているスプロケット２２との間にチエン２３を掛け渡して連動機構６の一部を構成している。
【００１９】
又、下部連動ケース７２は、上端部にカウンタ軸１７を軸受けし、下端部にロータ軸５を軸受けして、これら両軸１７、５に一体のスプロケット２４、２５間にチエン２６を掛け渡して連動機構６を構成している。前記カウンタ軸１７には前記スプロケット２２の内側に形成するクラッチ爪部に噛合させて、カウンタ軸１７を伝動状態にしたり、又はこの噛合を外して非伝動状態にするクラッチ１１を構成している。
【００２０】
前記ロータ軸５の左右両端部に取付ける撹拌ロータ８は、回転外周面に横方向に沿う撹拌棒２８、乃至ラグを配置し、駆動回転によってコンクリートの表面を適宜深さに掻き混ぜて、コンクリート面を平坦に成形するものである。
【００２１】
前記フレーム１２、及び連結ブラケット１３の後端には、ソケットホルダ２９、３０を設け、上側のソケットホルダ２９には、不使用状態の左右一対の尾輪３１アーム３２を有した取付軸３３を挿込んで収納保持することができ、下側のソケットホルダ３０には、使用状態の抵抗棒３４の基部３５を挿込んで支持することができる。又、撹拌機を単に移動するだけの場合は、これら尾輪３１と抵抗棒３４の取付位置を着替えて、上部のソケットホルダ２９に抵抗棒３４を取付けて、下部のソケットホルダ３０に尾輪３１の取付軸３３を取付ける。この尾輪３１の接地により路面や、床面上を移動し易くする。
【００２２】
ここにおいて、機体１に搭載の原動機２によって駆動すると共に、耕耘ロータを装着可能とする耕耘軸３と、この機体１の後方上部に張出の操作ハンドル４を有して耕耘作業可能の作業機本体に、前記耕耘軸３の後方下部位置に向けて、この耕耘軸３から後端部のロータ軸５を伝動する連動機構６を内装する連動ケース７を取付けて、この連動ケース７の左右両側部に張出すロータ軸５に撹拌ロータ８を取付ける。
【００２３】
前記原動機２の駆動によって耕耘軸９が回転されると、連動ケース７内の連動機構６を経て、この連動ケース７下端部のロータ軸５が回転されて、このロータ軸５に取付けられた撹拌ロータ８が回転駆動される。作業者が操作ハンドル４を操作しながら、撹拌ロータ８を容器Ｙ内の練込直後のコンクリートＣを回転移動させることによって、この撹拌ロータ８の回転によりコンクリートＣが掻き均らされる。
【００２４】
このような撹拌作業においては、撹拌ロータ８のロータ軸５が、連動ケース７を介して耕耘軸３により後方下方の位置に支持されているため、ハンドル４を操作する作業操作位置を高くして、楽な姿勢で撹拌作業を行うことができ、撹拌ロータ８の駆動反力を受ける撹拌機の前後バランスを保持し易くして、操作性を高める。また、更にソケットホルダ３０に抵抗棒３４を取付て、この抵抗棒３４をコンクリートＣ面に押し付けて、攪拌ロータ８の回転による駆動推進力に抵抗を与えながら、又この攪拌力を調整しながら攪拌作業を行うことができる。
【００２５】
又、コンクリートの撹拌作業に代って耕耘作業を行うときは、前記耕耘軸３から連動ケース７を取外して、この耕耘軸３に耕耘爪等を配置した耕耘ロータを装着して行う。
又、前記連動ケース７は、機体１側の耕耘ケース９の耕耘軸３の一側端部に連結する前後方向の上部連動ケース７１と、この上部連動ケース７１の後端部から下方へ延びる下部連動ケース７２とからなり、前記耕耘軸３の他側端部と、この下部連動ケース７２との間を軸受アーム１０で軸受連結し、これら下部連動ケース７２と耕耘ケース９を機体１の平面視でセンタラインＬ上に略沿わせて配置する。
【００２６】
前記のように撹拌作業を行う場合は、機体１側耕耘ケース９の耕耘軸３の回転が、上部連動ケース７１と下部連動ケース７２の連動機構６を経て、この下部連動ケース７２下端部のロータ軸５の撹拌ロータ８が駆動回転される。この撹拌ロータ８の支持回転するロータ軸５は、上部連動ケース７１によって耕耘軸３の後方へ適宜間隔偏倚し、かつ、下部連動ケース７２によって、この耕耘軸３よりも下方へ適宜間隔偏倚して支持されるため、操作ハンドル４を把持して撹拌作業する撹拌機の撹拌ロータ８を中心とする前後バランス形態が設定し易く、しかも、この撹拌ロータ８を左右両端部に装着した下部連動ケース７２が耕耘ケース９と共に、機体の略センタラインＬ上に沿って配置され、かつこの耕耘ケース９に対しては左右両側部に位置する上部連動ケース７１と軸受アーム１０を介して支持連結するもので、左右の撹拌ロータ８を、左右バランス良く支持して撹拌性を操作性を良好に維持する。
【００２７】
更に、前記連動ケース７の連動機構６にクラッチ１１を設けたことを特徴とする。
撹拌ロータ８を装着して撹拌作業を行うときは、耕耘軸３の回転によって、連動ケース７の連動機構６を経て下端部のロータ軸５、及び撹拌ロータ軸５の駆動回転される。又、このロータ軸５の駆動回転を停止したり、耕耘軸３との連動を断つときは、クラッチ１１を切り操作して行うことができる。
【００２８】
次に、主として図４に基づいて、撹拌ロータ８を、耕耘軸３の両端部に取付けられる連動ケース７と、軸受アーム１０の間に軸５受けさせて、サイドドライブ形態として伝動回転する形態である。撹拌ロータ８のロータ軸５が左右両側方に突出して設けられて、一側のロータ軸５は、連動ケース７の下端部に軸受けして伝動回転する形態とし、他側のロータ軸５は、軸受アーム１０に軸受けしている。これら連動ケース７と軸受アーム１０の耕耘軸３に対する着脱は、前例（図２参照）と同様にして行われる。
【符号の説明】
【００２９】
１    機体
２    原動機
３    耕耘軸
４    操作ハンドル
５    ロータ軸
６    連動機構
７    連動ケース
７１    上部連動ケース
７２    下部連動ケース
８    攪拌ロータ
９    耕耘ケース
１０    軸受アーム
１１    クラッチ
【図１】
2012071463.tif 000003
【図２】
2012071463.tif 000004
【図３】
2012071463.tif 000005
【図４】
2012071463.tif 000006